(57)【要約】【課題】ロール形状に巻かれた記録媒体を搬送機構により搬送して使用する場合に、搬送機構を逆転させ、記録用紙を巻き取って回収できる記録装置、及び、記録装置における記録媒体供給構造を提供する。【解決手段】プリンター本体に、ロール紙を供給するロール紙ホルダー２を備え、ロール紙ホルダー２は、支持軸によってロール紙を支持し、支持軸の軸端にロール紙を手動で巻き取るロール紙巻き取りノブ２５を備え、ロール紙巻き取りノブ２５が、プリンター本体においてロール紙を搬送する搬送機構を手動で逆転動作させる紙送りノブ４６、または、搬送機構を自動で逆転動作させるための表示・操作部１３が設けられた側と反対側に設けられている。【選択図】図１
2011110813.tif 000002
【特許請求の範囲】
【請求項１】
記録装置本体に、前記記録装置本体において記録がなされる記録媒体がロール状に巻かれたロール状記録媒体を支持するロール状媒体支持ユニットを設け、
前記ロール状媒体支持ユニットは、支持軸によって前記ロール状記録媒体を支持し、前記支持軸の軸端に前記記録媒体を手動で巻き取る第１ノブを備え、
前記第１ノブが、前記記録装置本体において前記記録媒体を搬送する搬送機構を手動で逆転動作させる第２ノブ、または、前記搬送機構を自動で逆転動作させるためのスイッチ部が設けられた側と反対側に設けられていることを特徴とする記録装置。
【請求項２】
前記ロール状媒体支持ユニットは、前記記録装置本体に着脱可能であることを特徴とする請求項１記載の記録装置。
【請求項３】
前記ロール状媒体支持ユニットは、前記支持軸に支持されている前記ロール状記録媒体を覆うカバーを有し、前記第１ノブは前記カバーの外に露出していることを特徴とする請求項１または２記載の記録装置。
【請求項４】
マージナルパンチ孔を備えた連続シート形態の別型記録媒体を供給するトラクターユニットを備えた連続シート媒体供給部が、前記記録装置本体の後方側に配置され、
前記ロール状媒体支持ユニットが前記連続シート媒体供給部の上方に配置されることを特徴とする請求項１から３のいずれかに記載の記録装置。
【請求項５】
前記ロール状媒体支持ユニットの前部に係止爪が設けられ、この係止爪が、前記記録装置本体の後方に開口した係止溝に係止され、
前記ロール状媒体支持ユニットの後部脚台が、前記記録装置本体を収容する本体ケースの平面に載置されることを特徴とする請求項１から４のいずれかに記載の記録装置。
【請求項６】
前記ロール状媒体支持ユニットの支持軸が、前記後部脚台よりも前方に配置されることを特徴とする請求項５記載の記録装置。
【請求項７】
記録装置本体に、前記記録装置本体において記録がなされる記録媒体がロール状に巻かれたロール状記録媒体を支持するロール状媒体支持ユニットを備え、
前記ロール状媒体支持ユニットは、支持軸によって前記ロール状記録媒体を支持し、前記支持軸の軸端に前記記録媒体を手動で巻き取る第１ノブを備え、
前記第１ノブが、前記記録装置本体において前記記録媒体を搬送する搬送機構を手動で逆転動作させる第２ノブ、または、前記搬送機構を自動で逆転動作させるためのスイッチ部が設けられた側と反対側に設けられていることを特徴とする記録装置の記録媒体供給構造。
【発明の詳細な説明】
【技術分野】
【０００１】
本発明は、記録装置、及び、この記録装置の記録媒体供給構造に関する。
【背景技術】
【０００２】
従来、記録媒体を搬送する搬送機構を備えた記録装置において、使用しなかった記録媒体を、搬送機構を逆転させることによって元の位置に収納するものが知られている（例えば、特許文献１参照）。特許文献１に記載された記録装置は、記録媒体として使用する用紙を搬送するローラーを逆転させることにより、いったん給紙したが使用しなかった用紙を給紙カセット内に収納する。
【先行技術文献】
【特許文献】
【０００３】
【特許文献１】特開平０６−２９７７８８号公報
【発明の概要】
【発明が解決しようとする課題】
【０００４】
ところで、特許文献１に記載されたように、記録媒体としてのカット紙を一枚ずつカセットから供給する装置においては、搬送機構を逆転させることによって元の位置に記録媒体を収納できるが、例えば、ロール形状に巻かれたロール紙を記録媒体として使用する記録装置においては、搬送機構を逆転させるとともに、戻り分のロール紙をロールに巻き取る必要がある。しかしながら、搬送機構の逆転動作とロールを回転させてロール紙を巻き取る動作との両方を自動的に連動させて行わせるためには、複雑かつ大がかりな機構を必要とする。また、このような動作を手作業で行おうとすれば、複数の部材を同時に操作しなければならず、大変である。
本発明は、上述した事情に鑑みてなされたものであり、ロール形状に巻かれた記録媒体を搬送機構により搬送して使用する場合に、搬送機構を逆転させ、記録用紙を巻き取って回収できる記録装置、及び、記録装置における記録媒体供給構造を提供することを目的とする。
【課題を解決するための手段】
【０００５】
上記目的を達成するために、本発明は、記録装置本体に、前記記録装置本体において記録がなされる記録媒体がロール状に巻かれたロール状記録媒体を支持するロール状媒体支持ユニットを設け、前記ロール状媒体支持ユニットは、支持軸によって前記記録媒体を支持し、前記支持軸の軸端に前記記録媒体を手動で巻き取る第１ノブを備え、前記第１ノブが、前記記録装置本体において前記記録媒体を搬送する搬送機構を手動で逆転動作させる第２ノブ、または、前記搬送機構を自動で逆転動作させるためのスイッチ部が設けられた側と反対側に設けられていることを特徴とする。
本発明によれば、ロール状媒体支持ユニットで記録媒体を手動で巻き取る第１ノブが、搬送機構を手動で逆転動作させる第２ノブまたは搬送機構を自動で逆転動作させるためのスイッチと反対側に設けられているので、この記録装置を操作するオペレーターは、上記スイッチまたは第２ノブと、第１ノブとを、別々の手で操作できる。このため、搬送機構を逆転動作させて記録媒体を戻して送ると同時に、手動でロール状記録媒体を回転させて記録媒体を巻き取ることができるので、未使用の記録媒体を容易にロールに巻き取って回収できる。
【０００６】
また、本発明は、上記記録装置において、前記ロール状媒体支持ユニットは、前記記録装置本体に着脱可能であることを特徴とする。
この構成によれば、ロール状媒体支持ユニットごとロール状記録媒体を着脱可能なため、ロール状記録媒体に記録を行う必要の有無に応じて適宜構成を変更でき、ユーザーの要求に合わせて多様な使用方法が可能になる。
また、本発明は、上記記録装置において、前記ロール状媒体支持ユニットは、前記支持軸に支持されている前記ロール状記録媒体を覆うカバーを有し、前記第１ノブは前記カバーの外に露出していることを特徴とする。
この構成によれば、ロール状記録媒体がカバーによって覆われているためロール状記録媒体の汚れを防ぐことができ、このカバーを開くことなく、第１ノブを操作してロール状記録媒体を回転させ、記録媒体を容易に巻き取ることができる。
【０００７】
また、本発明は、上記記録装置において、マージナルパンチ孔を備えた連続シート形態の別型記録媒体を供給するトラクターユニットを備えた連続シート媒体供給部が、前記記録装置本体の後方側に配置され、前記ロール状媒体支持ユニットが前記連続シート媒体供給部の上方に配置されることを特徴とする。
この構成によれば、連続シート形態の別型記録媒体とロール状記録媒体との両方を使用可能で、ロール状記録媒体を使用し、このロールから引き出された記録媒体を戻す場合には、搬送機構を逆転動作させると同時に手動でロール状記録媒体を回転させて巻き取ることができる。これにより、未使用の記録媒体をロールに巻き取って回収することができ、さらに、トラクターユニットを備えた連続シート媒体供給部とロール状媒体支持ユニットとを効率よく配置することで、小さい設置面積で設置できる。
【０００８】
また、本発明は、上記記録装置において、前記ロール状媒体支持ユニットの前部に係止爪が設けられ、この係止爪が、前記記録装置本体の後方に開口した係止溝に係止され、前記ロール状媒体支持ユニットの後部脚台が、前記記録装置本体を収容する本体ケースの平面に載置されることを特徴とする。
この構成によれば、ロール状媒体支持ユニットは、記録装置本体の後方に設けられた係止溝に係止爪が係止されることで水平方向に変位しないよう支持され、記録装置本体を収容する本体ケースの平面に載置されることで、本体ケースによりロール状媒体支持ユニットの荷重が支持される。このため、ロールから引き出された記録媒体が連続シート形態の別型記録媒体の供給経路に干渉しないように、かつ、ロールから引き出された記録媒体と別型記録媒体とがいずれも記録装置本体に供給されるように、ロール状記録媒体を安定した状態で支持できる。
【０００９】
また、本発明は、上記記録装置において、前記ロール状媒体支持ユニットの支持軸が、前記後部脚台よりも前方に配置されることを特徴とする。
この構成によれば、ロール状の記録媒体の荷重が、本体ケースの平面と、ロール状媒体支持ユニットの前部の係止爪が係止される係止溝とに分散して下方から支持されるので、ロール状の記録媒体の荷重によるモーメントを発生させず、安定してロール状の記録媒体を支持できる。
【００１０】
また、上記課題を解決するため、本発明は、記録装置本体に連結され、前記記録装置本体において記録がなされる記録媒体がロール状に巻かれたロール状記録媒体を支持するロール状媒体支持ユニットを備え、前記ロール状媒体支持ユニットは、支持軸によって前記記録媒体を支持し、前記支持軸の軸端に前記記録媒体を手動で巻き取る第１ノブを備え、前記第１ノブが、前記記録装置本体において前記記録媒体を搬送する搬送機構を手動で逆転動作させる第２ノブ、または、前記搬送機構を自動で逆転動作させるためのスイッチ部が設けられた側と反対側に設けられていることを特徴とする。
本発明によれば、ロール状媒体支持ユニットで記録媒体を手動で巻き取る第１ノブが、搬送機構を手動で逆転動作させる第２ノブまたは搬送機構を自動で逆転動作させるためのスイッチと反対側に設けられているので、この記録装置を操作するオペレーターは、上記スイッチまたは第２ノブと、第１ノブとを、別々の手で操作できる。このため、搬送機構を逆転動作させて記録媒体を戻して送ると同時に、手動でロール状記録媒体を回転させて記録媒体を巻き取ることができるので、未使用の記録媒体を容易にロールに巻き取って回収できる。
【発明の効果】
【００１１】
本発明によれば、搬送機構の逆転動作を行わせると同時に、手動でロールを回転させて、未使用の記録媒体を容易にロールに巻き取って回収できる。
【図面の簡単な説明】
【００１２】
【図１】本発明の実施形態に係るプリンターの外観斜視図である。
【図２】プリンターの上面カバーを外した状態の斜視図である。
【図３】プリンターの側断面視図である。
【図４】プリンターのロール紙ホルダーを外した状態を示す外観斜視図である。
【図５】ロール紙ホルダーにロール紙を収容した状態を示す斜視図である。
【図６】ロール紙ホルダーの斜視図である。
【図７】ロール紙ホルダーの斜視図である。
【図８】ロール紙ホルダーを下方から見た斜視図である。
【図９】ロール紙ホルダーの取付状態を示す一部破断側面図である。
【図１０】セパレーターを装着したプリンターの斜視図である。
【図１１】セパレーターをスライドさせた状態のプリンターの斜視図である。
【図１２】セパレーターをスライドさせた状態のプリンターの斜視図である。
【発明を実施するための形態】
【００１３】
以下、図面を参照して本発明の実施形態について説明する。
図１は、本発明を適用した実施形態に係るプリンター１の外観斜視図であり、図２はプリンター１の本体ケース１０の上面カバー１１を外した状態を示す斜視図であり、図３はプリンター１の側断面視図である。図３中には、ロール紙ホルダー２から供給される記録紙１１２の搬送経路を符号Ｐ１で示し、連続紙供給部６により供給される連続紙１２０の搬送経路を符号Ｐ２で示す。
【００１４】
プリンター１は、本体ケース１０と、この本体ケース１０に載置されたロール紙ホルダー２（ロール状媒体支持ユニット）とを備え、ロール紙ホルダー２内に収容されたロール紙１１０から繰り出される記録紙１１２（記録媒体）、及び、本体ケース１０の後方から供給される連続紙１２０（別型記録媒体）に、文字や画像を印刷（記録）する記録装置である。本実施形態のプリンター１は、記録ワイヤーを突出させて連続紙１２０及び記録紙１１２にインクを付着させてドットを形成するドットマトリクスプリンターである。記録紙１１２は、例えば普通紙で構成される長尺の用紙であり、ロール状に巻かれてロール紙１１０（ロール状記録媒体）としてロール紙ホルダー２にセットされる。また、連続紙１２０は、いわゆるファンフォールド紙と呼ばれる連続帳票であり、一枚紙または複写紙のいずれであってもよい。連続紙１２０は、プリンター１の外側において、例えば図３に示すようにプリンター１よりも下方に蓄積されており、後述する連続紙供給部６（連続シート媒体供給部）の動作によりプリンター１の内部に引き込まれる。
【００１５】
プリンター１では、記録媒体として記録紙１１２と連続紙１２０のいずれか一方を選択して印刷することができ、後述する操作により印刷対象を記録紙１１２から連続紙１２０へ、或いはその逆へ切り替えることができる。
印刷後の記録紙１１２または連続紙１２０（以下、記録紙１１２と連続紙１２０とを総称して記録媒体という）は、ロール紙ホルダー２の前端部の近傍に開口する排紙口１４から上向きに排出され、ロール紙ホルダー２の前面に形成された排紙ガイド２３に沿って支持される。この排紙口１４には、排出された記録媒体をカットするための鋸刃状のカッター１５が配置されている。
本体ケース１０の上面には、プリンター１の動作に係る設定やリセット等の各種操作を行うためのスイッチ、及び、プリンター１の動作状態を示すＬＥＤ等を備えた表示・操作部１３が設けられている。また、本体ケース１０の左側面には、プリンター１の電源をオン／オフする電源スイッチ３８（図１２）が設けられている。
【００１６】
本体ケース１０には、印刷ヘッド４３を備えたプリンター本体４が収容され、本体ケース１０の上面に着脱可能に設けられた上面カバー１１を開くことで、プリンター本体４へのアクセスが可能である。プリンター本体４（記録装置本体）は、本体下部に位置するベースフレーム１７と、このベースフレーム１７に固定された左右一対のサイドフレーム１８、１９とからなるフレームに各部を取り付けて構成される。右サイドフレーム１８と左サイドフレーム１９との間には、プラテン４１、キャリッジガイド軸４９、押圧ローラー５０、従動ローラー５１、排紙ローラー５２、排紙補助ローラー５６、トラクター駆動軸６１及びトラクターガイド軸６２等が掛け渡されており、プラテン４１及びトラクター駆動軸６１は、右サイドフレーム１８に取り付けられた搬送モーター（図示略）によって回転駆動される。
【００１７】
ローラー形状に形成されたプラテン４１の前方には、キャリッジガイド軸４９に沿って往復走査されるキャリッジ４２が配置され、キャリッジ４２にはプラテン４１に対向するように、ワイヤー（図示略）を突出させる印刷ヘッド４３が搭載されている。
プリンター本体４には、右サイドフレーム１８及び左サイドフレーム１９により支持されるステーショナリー形式のインクリボンカートリッジ４４が取り付けられている。キャリッジ４２には、印刷ヘッド４３の先端とプラテン４１との間に位置するようにリボンガイドが取り付けられ、このリボンガイドにはインクリボンカートリッジ４４から引き出されたインクリボン（図示略）が通される。
プラテン４１の側面には、印刷ヘッド４３のワイヤーの突出力を受ける弾性体が配されており、印刷ヘッド４３のワイヤーが、インクリボン及び記録媒体を介してプラテン４１の弾性体に向けて打突されることにより、記録媒体の印刷面に、文字や画像を構成する多数のドットを形成する。
【００１８】
プラテン４１は、搬送モーター（図示略）の駆動力によって回転する。プラテン４１の下方には、プラテン４１の側面に沿った湾曲面を有する紙案内下４７が配置され、この紙案内下４７の上流側に、紙案内上４５が配置され、紙案内下４７と紙案内上４５とによって、ロール紙ホルダー２から供給される記録紙１１２及び連続紙供給部６から供給される連続紙１２０がプリンター本体４に入り込む用紙入口４８が構成されている。用紙入口４８は、プリンター本体４において記録紙１１２及び連続紙１２０が搬送される搬送経路の入口である。なお、図３に示す構成では紙案内上４５と紙案内下４７とが別体として構成され、上下に対向して配置されているが、紙案内上４５と紙案内下４７とが一体となって、搬送経路を構成してもよい。ここで、紙案内上４５及び紙案内下４７はシート案内に相当する。
【００１９】
また、紙案内下４７の用紙入口４８側の端には、記録紙１１２または連続紙１２０の進入を検出するスイッチ式の紙検出器５３が配置され、この紙検出器５３の検出状態に基づいて、後述する制御基板５７がプリンター１の動作を制御する。
用紙入口４８には、プラテン４１に対向して案内する押圧ローラー５０が配置されている。記録媒体は押圧ローラー５０とプラテン４１とに挟まれて、紙案内下４７の曲面とプラテン４１との間に送られる。押圧ローラー５０は、様々な厚みの記録媒体をプラテン４１との間に確実に挟めるように、プラテン４１に向けて付勢されている。
紙案内下４７には、搬送モーター（図示略）の駆動力によってプラテン４１とともに回転する従動ローラー５１が配置され、この従動ローラー５１とプラテン４１とに挟まれて、記録媒体は印刷ヘッド４３に向けて搬送される。
これらプラテン４１及び押圧ローラー５０は、搬送モーターの動力によってロール紙１１０及び連続紙１２０を搬送する搬送機構として機能する。
【００２０】
プラテン４１に巻き付くように搬送された記録媒体は、キャリッジ４２の手前で紙押さえ４５によりプラテン４１の側面に押し付けられる。紙押さえ４５は、記録媒体をプラテン４１に押し付けて、印刷位置における記録媒体の浮き上がりを防止する。印刷ヘッド４３により印刷された記録媒体はプラテン４１により上方に搬送され、プラテン４１の上方に設置された排紙ローラー５２と、この排紙ローラー５２に対向して配置された排紙補助ローラー５６との間に挟まれて上方に送られ、排紙口１４から排出される。排紙補助ローラー５６は、様々な厚みの記録媒体を排紙ローラー５２の間に挟めるように、排紙ローラー５２に向けて付勢されている。これら排紙ローラー５２及び排紙補助ローラー５６によって、記録媒体は、排紙口１４から上方に出てから排紙ガイド２３に沿って送られる。
また、プラテン４１の軸は本体ケース１０の外部に設けられた紙送りノブ４６に連結されており、この紙送りノブ４６を手動で回すことにより、プラテン４１を回転させて記録媒体を順方向または逆方向に移動できるようになっている。
【００２１】
プリンター本体４の下部には、プリンター１の各部を制御する制御基板５７と、電源スイッチ３８（図１２）の操作にオン／オフされ、本体ケース１０背面に設けられた電源コネクター３９（図１２）から供給される交流電源に基づいて制御基板５７へ直流電源を供給する電源基板５９とが収容されている。制御基板５７は、通信ケーブル５８（図９）を介してホストコンピューター等の外部機器に接続され、この外部機器から受信したコマンドやデータ、及び、表示・操作部１３が備えるスイッチの操作に基づいて、プラテン４１及びトラクター駆動軸６１を回転させる搬送モーター（図示略）、キャリッジ４２を走査させるキャリッジ駆動モーター（図示略）、印刷ヘッド４３等を制御し、印刷動作や紙送り動作を実行し、その動作状態に対応して表示・操作部１３が備えるＬＥＤの点灯制御を行う。
【００２２】
図４は、プリンターのロール紙ホルダー２を外した状態の外観斜視図である。
この図４及び図３に示すように、プリンター本体４の後方に連続紙供給部６が配設されている。連続紙供給部６は、上述のように左右のサイドフレームに掛け渡されるトラクター駆動軸６１及びトラクターガイド軸６２と、これらの軸６１、６２に挿通され、プリンター１の幅方向に移動可能な左右一対のトラクターユニット６０とを備え、プリンター本体４の後方において本体ケース１０に収容される。トラクターユニット６０には無端形状のベルトが巻き付くように設けられ、このベルトに立設された複数のピン６４が連続紙１２０の側端に形成されたマージナルパンチ孔に嵌合した状態でトラクターカバー６５が閉じられると、ピン６４とトラクターカバー６５により連続紙１２０が挟まれて保持される。この状態で、トラクター駆動軸６１が回転してベルト６３を駆動することにより、連続紙１２０がプリンター本体４に向けて供給される。連続紙供給部６の後端部には、連続紙１２０が入り込む給紙口６７が開口し、給紙口６７の下部には、下方から供給される連続紙１２０を受ける給紙受け部材６６が配置される。
【００２３】
また、図３に示すように、ロール紙ホルダー２は、本体ケース１０の上に載置されるホルダー本体２０と、ロール紙１１０を支持する支持軸２４と、支持軸２４に支持されたロール紙１１０を覆うロール紙カバー２１とを備えて構成される。ホルダー本体２０とロール紙カバー２１とは互いに組み合わされて、ロール紙ホルダー２の外装すなわちカバーを構成する。
ロール紙１１０は、図３に示すように中空の芯部１１１を有しており、この芯部１１１に支持軸２４を貫通させることで、ロール紙１１０がロール紙ホルダー２に支持される。なお、芯部１１１の大きさは、図３に示すように芯部１１１の内径が支持軸２４の外径より大幅に大きくなるような場合もあるし、芯部１１１の内径が支持軸２４の外径とほぼ等しくなる場合もあるが、これらの場合のいずれも同じようにロール紙１１０をロール紙ホルダー２で支持できる。
支持軸２４の一端は、ホルダー本体２０の外まで貫通しており、その端にはロール紙巻き取りノブ２５が取り付けられている。ロール紙巻き取りノブ２５はロール紙ホルダー２の外側に露出し、手動で回転可能である。このロール紙巻き取りノブ２５を手動で回転させることにより、ロール紙１１０を回転させ、ロール紙のたるみを取ったり、後述するようにプリンター本体４から戻された記録紙１１２を巻き取ったりすることができる。
【００２４】
ロール紙ホルダー２に収容されたロール紙１１０からは、図３中に符号Ｐ１で示すように、ロールの下部で巻きが解かれて記録紙１１２が前方に引き出されて、用紙入口４８に引き込まれる。ロール紙ホルダー２の内部には、記録紙１１２をいったん上向きに湾曲させるため、上向きに凸となった屈曲部２６が設けられており、記録紙１１２は、屈曲部２６を乗り越えて湾曲して用紙入口４８に達する。また、ロール紙ホルダー２の内部において、屈曲部２６と用紙入口４８との間の上方には収容空間２７が形成される。収容空間２７は、いったん用紙入口４８からプリンター本体４内部に引き込まれた記録紙１１２を巻き戻した場合に、巻き戻された分を収容するための空間である。
【００２５】
このように構成されるプリンター１は、ロール紙ホルダー２により供給される記録紙１１２、または、連続紙供給部６により供給される連続紙１２０のいずれかを、伝達切替レバー１６（図４参照）を操作することにより選択的に記録媒体として使用し、文字や画像等を印刷することが可能である。図４の伝達切替レバー１６を手前側すなわちプリンター１の前側に倒すと、搬送モーター（図示略）の動力によるプラテン４１の回転がトラクター駆動軸６１に伝達されて、トラクター駆動軸６１はプラテン４１と同期して回転されるとともにプラテン４１にロール紙を押圧している押圧ローラー５０を下方に押し下げ、押圧ローラー５０をプラテン４１から離間させる。また、伝達切替レバー１６を後方側に倒すと、押圧ローラー５０は再びプラテン４１を圧接するとともに、トラクター駆動軸６１への回転力の伝達が遮断され、プラテン４１のみが回転されるようになり、連続紙供給部６によって連続紙１２０が搬送されないよう構成されている。本実施の形態では、右サイドフレーム１８に設けられた輪列機構（図示略）において、搬送モーター（図示略）によって回転され且つ移動可能に支持されている可動平歯車が、伝達切替レバー１６の操作により移動され、トラクター駆動軸６１に取り付けられている平歯車と噛合したり噛合しなかったりする構成となっている。
そして、図３に示すように、記録紙１１２がロール紙ホルダー２からプリンター本体４に供給される出口、及び、連続紙供給部６が連続紙１２０をプリンター本体４に供給する出口は、いずれも用紙入口４８に対向している。このため、プリンター本体４の構成は、記録紙１１２と連続紙１２０に共通して使用できるので、印刷を行う機構を記録媒体の種類毎に変える必要がない。
【００２６】
記録媒体を記録紙１１２から連続紙１２０へ、或いはその逆に切り替える場合には、印刷ヘッド４３の位置またはその先まで搬送されている記録媒体を、用紙入口４８に向けて逆向きに搬送する、逆送り動作が実行される。
この逆送り動作は、制御基板５７の制御によって搬送モーター（図示略）を逆転させることにより、プラテン４１及びトラクター駆動軸６１を逆回転させて、行うこともできる。具体的には、表示・操作部１３のスイッチの操作によって逆送り動作が指示された場合に、制御基板５７は、搬送モーターを所定量だけ逆回転させる。記録紙１１２の場合、排紙口１４または印刷ヘッド４３の位置にあった記録媒体の先端は、プラテン４１が逆回転することにより押圧ローラー５０の位置まで戻される。その後、ロール紙巻き取りノブ２５を回転させて収容空間２７に引き込まれた記録紙１１２をロール紙１１０に巻き取り、記録紙１１２の先端部を後述するロール紙出口２０Ｃ（図８）よりもロール紙ホルダー２の内側に位置させ、連続紙１２０の搬送の障害にならないようにする。表示・操作部１３は、少なくともプラテン４１を備えた搬送機構を逆転動作させるためのスイッチを有するスイッチ部として機能する。ここで、搬送機構にトラクター駆動軸６１を含めてもよい。
【００２７】
一方、連続紙１２０の場合は、プラテン４１及びトラクター駆動軸６１が逆回転することにより逆送りされる。この逆送りは、連続紙１２０の先端部が紙検出器５３によって検出された後、先端部が、トラクターユニット６０までの間で記録紙１１２の搬送の障害とならない位置に達するまでの所定搬送量のみ行われる。この位置で連続紙１２０を停止させると、連続紙１２０がトラクターユニット６０に装着されている状態が保たれる。このため、再び連続紙１２０を使用したい場合はトラクター駆動軸６１を回転させるだけで連続紙１２０をプラテン４１側に搬送できるので、改めてトラクターユニット６０に連続紙１２０をセットする必要がなく便利である。なお、連続紙１２０を連続紙供給部６から外したい場合は更にトラクター駆動軸６１を逆回転すればよい。
【００２８】
また、プリンター１が停止した状態で、紙送りノブ４６（第２ノブ）を手動で逆方向に回転させることにより、記録媒体を逆送りすることも可能である。この場合も、記録媒体の先端は押圧ローラー５０の直前の位置まで戻される。押圧ローラー５０の前まで戻された記録媒体は手動で引き戻すことができ、記録紙１１２を逆送りした場合は、ロール紙ホルダー２のロール紙巻き取りノブ２５を回転させてロール紙１１０を回転させ、記録紙１１２を巻き取ればよい。また、プリンター１においては搬送モーター（図示略）の逆転または紙送りノブ４６の操作により、プラテン４１と連動して、連続紙供給部６のトラクター駆動軸６１が逆回転する。このため、連続紙１２０を逆送りした場合には、トラクター駆動軸６１の逆回転によって、連続紙１２０をトラクターユニット６０の位置まで戻すことができる。
このようにして、記録紙１１２または連続紙１２０のうち一方を、少なくとも用紙入口４８の手前まで戻すことで、他方の記録媒体を用紙入口４８からプリンター本体４に送り込み、印刷を行うことができる。このため、プリンター１では、簡単な作業によって、記録紙１１２と連続紙１２０とを切り替えて使用できる。
【００２９】
ここで、図１及び図２に示したように、プラテン４１を含んで構成される搬送機構を、自動で逆転動作させるためのスイッチを備えた表示・操作部１３は、プリンター１の右側に設けられている。これに対し、ロール紙ホルダー２に収容されたロール紙１１０を巻き取るためのロール紙巻き取りノブ２５（第１ノブ）は、図１、図２及び図６に示したように、プリンター１の左側に設けられている。
このため、表示・操作部１３の操作により自動で逆送り動作を行わせる場合に、プリンター１を操作するオペレーターは、右手で表示・操作部１３を操作するとともに、左手でロール紙巻き取りノブ２５を回転させてロール紙１１０を回転させ、逆送り動作で戻された記録紙１１２を巻き取ることができる。
また、紙送りノブ４６の操作により手動で逆送り動作を行わせる場合、オペレーターは、右手で紙送りノブ４６を回転させてプラテン４１を逆回転させるとともに、左手でロール紙巻き取りノブ２５を回転させてロール紙１１０を回転させ、逆送り動作で戻された記録紙１１２を巻き取ることができる。
つまり、プリンター１においては、プラテン４１を含む搬送機構を逆転動作させると同時に、手動で記録紙１１２を巻き取ることができるので、記録紙１１２のジャムを起こすことなく未使用分の記録紙１１２を回収できる。
【００３０】
図５は、ロール紙ホルダー２の斜視図であり、ロール紙１１０を収容した状態を示している。また、図６及び図７は、ロール紙１１０を取り外した状態の斜視図である。図８は、ロール紙ホルダー２を下方から見た斜視図である。
これらの図に示すように、ロール紙ホルダー２は、ホルダー本体２０の底部に立設された固定ガイド板２８と、固定ガイド板２８に対向して立設された可動ガイド板２９とを有し、これら固定ガイド板２８と可動ガイド板２９との間にロール紙１１０を収容する。固定ガイド板２８は、ロール紙ホルダー２の左側に固定された平板状部材であり、その一方の平面であるガイド面２８Ｄがロール紙１１０及びロール紙１１０から繰り出された記録紙１１２の側端に当接する。可動ガイド板２９は、ロール紙１１０及びロール紙１１０から繰り出された記録紙１１２の側端に接する平面であるガイド面２９Ｆ（図８）を有し、ロール紙１１０の幅に合わせて移動される。印刷実行時には、ロール紙１１０の両側端に固定ガイド板２８のガイド面２８Ｄと可動ガイド板２９のガイド面２９Ｆとが接するか、或いは近接した状態に調整される。図６は、可動ガイド板２９を固定ガイド板２８側に寄せた状態を示し、図７は可動ガイド板２９を固定ガイド板２８から離した状態を示す。
ロール紙ホルダー２は、ガイド面２８Ｄとガイド面２９Ｆとによって、ロール紙１１０及びロール紙１１０から繰り出された記録紙１１２の両側端をガイドする。これにより、記録紙１１２の引き出し時及び巻き戻し時に、記録紙１１２の両側端の幅方向への移動が規制されるので、記録紙１１２の直進性を向上させることができる。
なお、固定ガイド板２８のガイド面２８Ｄ及び可動ガイド板２９のガイド面２９Ｆは、完全な平面でなくてもよい。すなわち、ロール紙１１０の側面に接する部分と、ロール紙出口２０Ｃへ記録紙１１２を案内する部分とを含む全ての部分が平面である必要はなく、記録紙１１２の側端に当接して記録紙１１２を案内できる構成であれば、凹部があってもよい。この場合、凹部の位置、形状およびサイズが、この凹部に記録紙１１２が引っかからず、記録紙１１２のスキューを生じさせないものであればよい。また、記録紙１１２に接する位置に凹部があっても、凹部の縁が滑らかな斜面や曲面で構成されるなど、凹部への記録紙１１２の引っかかりを防止できる構成となっていればよい。
【００３１】
支持軸２４の一端は、上述のようにホルダー本体２０の外に位置するロール紙巻き取りノブ２５に連結されており、このロール紙巻き取りノブ２５の近傍において、支持軸２４には大径の支持円盤部２４Ａが形成されている。支持円盤部２４Ａの径は支持軸２４の他の部分よりも大きく、ロール紙ホルダー２の左側に位置する固定ガイド板２８には、支持円盤部２４Ａの径に対応した大径の軸受け部２８Ａが形成され、軸受け部２８Ａに固定ガイド板２８が嵌合する。支持軸２４の他の部分より大径の支持円盤部２４Ａを軸受け部２８Ａにより支持する構成としたのは、支持円盤部２４Ａの外周と軸受け部２８Ａとの摩擦を高めることにより、支持軸２４に、より大きな回転時の抵抗を与えるためである。この抵抗により、記録紙１１２がプリンター本体４に向けて引き出される際に、ロール紙１１０が空転して余剰の記録紙１１２の巻きが解かれることがなく、記録紙１１２のたるみを防止できる。
【００３２】
また、支持軸２４の他端を支持する可動ガイド板２９は、ホルダー本体２０の底面に対して略垂直に立設され、その基部にはホルダー本体２０の底面に重なる平面部２９Ｂを有している。可動ガイド板２９は、ロール紙ホルダー２の右側に位置し、支持軸２４の軸方向にスライド可能で、かつ、任意のスライド位置に止めることが可能である。
詳細には、可動ガイド板２９は、ホルダー本体２０の幅方向における所定範囲で左右にスライド移動可能であり、このスライド移動可能な範囲において、ホルダー本体２０の底面には、リブ２０Ａと、多数の歯を有する係止部材２０Ｂとがスライド方向に延設されている。可動ガイド板２９の平面部２９Ｂの裏面には、リブ２０Ａに係合する溝（図示略）と、係止部材２０Ｂの歯に噛み合う歯が形成された係止部（図示略）とが形成されており、この係止部が係止部材２０Ｂから外れるように平面部２９Ｂを浮かせることで、可動ガイド板２９は、支持軸２４の軸方向に自在にスライド可能となる。また、平面部２９Ｂの裏面の係止部を係止部材２０Ｂの歯に噛み合わせることで、可動ガイド板２９の移動は規制され、その位置で可動ガイド板２９を固定できる。
【００３３】
支持軸２４は、支持円盤部２４Ａを除いて、ロール紙１１０の芯部１１１を貫通可能な一様な径となっており、可動ガイド板２９に形成された軸受け部２９Ａに嵌合して支持される。支持軸２４は、可動ガイド板２９が移動可能な全範囲において軸受け部２９Ａに接する部分が、全周に平滑な曲面を有する円柱形状の円柱部２４Ｂとなっており、可動ガイド板２９をスライドさせる際の抵抗が軽減されている。また、円柱部２４Ｂを除く部分、すなわち軸受け部２９Ａに接しない部分には肉盗み２４Ｃが形成され、円柱部２４Ｂの軸中心はくり抜かれて肉盗み穴２４Ｄが形成され、軽量化と材料の節約が図られている。また、肉盗み２４Ｃを設けることにより支持軸２４の表面が粗くなるため、支持軸２４と芯部１１１との滑りが抑制されるので、ロール紙１１０の不要な回転によるたるみの発生を防止できる、ロール紙巻き取りノブ２５を回転させた場合のロール紙１１０の空転を抑えられる等の利点が得られる。
【００３４】
また、ホルダー本体２０には、上述したように記録紙１１２を湾曲させるための屈曲部２６が設けられ、この屈曲部２６に連なるように、可動ガイド板２９には屈曲部２９Ｃが形成されている。このため、記録紙１１２の幅方向の両端に屈曲部２６と屈曲部２９Ｃとが位置して、記録紙１１２を確実に湾曲させることができる。また、屈曲部２６は固定ガイド板２８の基部に一体に形成されており、屈曲部２９Ｃは可動ガイド板２９の基部に一体に形成されているので、固定ガイド板２８と屈曲部２６との間や、可動ガイド板２９の基部と屈曲部２９Ｃとの間に記録紙１１２が入り込んでしまうことがない。従って、記録紙１１２が折れたり曲がったりすることなく、記録紙１１２を確実に湾曲させることができる。
【００３５】
さらに、固定ガイド板２８の前端には前板部２８Ｂが形成され、前板部２８Ｂの下端は開口してスリット状の開口２８Ｃを構成する。また、可動ガイド板２９の前端には前板部２９Ｄが形成されており、前板部２９Ｄの下端は開口して、スリット状の開口２９Ｅを構成する。図８に詳細に示すように、開口２８Ｃの一端は固定ガイド板２８によって閉止され、他端側は開放されている。また、開口２９Ｅの一端は可動ガイド板２９により閉止され、他端すなわち固定ガイド板２８側の端は開放されている。そして、これら開口２８Ｃと開口２９Ｅとは連通して、記録紙１１２の幅にほぼ等しい横長のロール紙出口２０Ｃを構成する。
記録紙１１２は開口２８Ｃと開口２９Ｅとを通ってロール紙ホルダー２からプリンター本体４に送り出され、少なくとも記録紙１１２の両側端部は、開口２８Ｃと開口２９Ｅとによって、それぞれ、上下に移動しないよう規制される。このため、記録紙１１２は屈曲部２６及び屈曲部２９Ｃを乗り越えた後で、ロール紙出口２０Ｃの開口２８Ｃ、２９Ｅを通るために下方に導かれ、図３に示したように湾曲して用紙入口４８に至る。
【００３６】
また、ロール紙ホルダー２のロール紙カバー２１は、ヒンジ２２を介してホルダー本体２０に回動可能に取り付けられ、プリンター１の後方に向かって上に開くことが可能であり、ロール紙カバー２１を開いた状態ではロール紙１１０が露出して、ロール紙１１０を着脱可能となる。ロール紙カバー２１を閉じた状態では、ロール紙カバー２１によりロール紙１１０が覆われ、ロール紙カバー２１の先端は図３に示すように排紙口１４の内部に達するので、ロール紙１１０への汚れの付着を抑制できる。
【００３７】
図９は、ロール紙ホルダー２の取付状態を示す一部破断側面図である。
以下、この図９と図４〜図８を参照して、プリンター１におけるロール紙ホルダー２の取付構造について説明する。
図５〜図８に示すように、ホルダー本体２０の前部の側端面３１、３１には、それぞれ、側方に突出する略円柱形状の係止爪３２、３２が立設されている。
また、図４に示すように、本体ケース１０の上面には、プリンター本体４の後方において左右一対の係止溝入口５４Ａ、５４Ａが開口している。係止溝入口５４Ａ、５４Ａは、本体ケース１０の両側端部に位置しており、これら係止溝入口５４Ａ、５４Ａにはロール紙ホルダー２の側端面３１、３１を挿入可能である。
【００３８】
図９に示すように、プリンター本体４の右サイドフレーム１８には、係止溝入口５４Ａの下方に位置して、斜め前方に傾斜した下向きの係止溝５４が形成されている。係止溝入口５４Ａから側端面３１を挿入すると、係止溝５４に係止爪３２が入り込み、係止溝５４の底部で係止爪３２を介してロール紙ホルダー２の前部の荷重が支持される。
また、図示はしないが、本体ケース１０の左サイドフレーム１９においても同様に、係止溝入口５４Ａの下方に係止溝５４が形成され、この係止溝５４に係止爪３２が入り込んでロール紙ホルダー２の荷重を支持する。
このように、ロール紙ホルダー２の前部では、左右一対の係止爪３２、３２が両サイドフレーム１８、１９に設けられた係止溝５４、５４に係止されることで、ロール紙ホルダー２がプリンター本体４に支持される。
【００３９】
また、図４に示すように、本体ケース１０の後部の両側端には、それぞれ連続紙供給部６の上方に位置する平面５５が設けられ、これら平面５５、５５の各々に、凹部５５Ａが形成されている。
これに対し、ホルダー本体２０の後部には、図５〜図８に示すように、幅方向に突出する左右一対の脚台３３、３３（後部脚台）が設けられている。これら脚台３３、３３は、本体ケース１０に設けられた一対の平面５５、５５に載置される。
【００４０】
ロール紙ホルダー２の左右に設けられた一対の脚台３３の各々には、その下面に、図８及び図９に示すように下方に突出する係止爪３４が立設され、この係止爪３４は、ロール紙ホルダー２を平面５５に載置した状態で、左右各々の凹部５５Ａに嵌合している。係止爪３４は、背面が切り立った尖状に形成され、凹部５５Ａの後端に背面を接している。脚台３３の下面には、係止爪３４の後方にシート状の弾性体３５が貼付され、この弾性体３５が平面５５に接する。
また、図示はしないが、ロール紙ホルダー２の左側に設けられた脚台３３の下面にも同形状の係止爪３４が立設されており、この係止爪３４が、本体ケース１０の左側の凹部５５Ａに嵌合する。この左側の脚台３３の下面には係止爪３４の後方に弾性体３５が配設され、脚台３３は弾性体３５を介して左側の平面５５に当接する。
【００４１】
このため、ロール紙ホルダー２の後部においては、脚台３３、３３が平面５５、５５に接することによりロール紙ホルダー２の荷重を支持する。また、脚台３３、３３の下面に設けられた係止爪３４、３４が凹部５５Ａ、５５Ａに嵌り合って、ロール紙ホルダー２が水平方向に移動しないよう規制されるので、プリンター１の動作時にもロール紙ホルダー２が移動しないよう強く支持できる。
また、平面５５、５５には、脚台３３、３３の下面に配設されたシート状の弾性体３５、３５が接するため、平面５５、５５の表面の損傷を防止できる、弾性体３５、３５の摩擦係数が高いためにロール紙ホルダー２の水平方向への移動をより強く規制できる、プリンター１の動作時の振動が弾性体３５、３５により吸収されるため記録紙１１２のたるみの発生等を防止できる、等の効果が得られる。
【００４２】
また、ロール紙ホルダー２のヒンジ２２は脚台３３よりも後方に位置しているため、図９に示すようにロール紙ホルダー２を本体ケース１０に載置した状態では、ロール紙カバー２１を開放すると、ロール紙カバー２１の重心が後方に移動することで、脚台３３を中心として図中時計回りのモーメントが発生する。このモーメントは係止爪３２から係止溝５４の上側の端面５４Ｂに対して作用するが、本実施形態の構成では、係止溝５４が斜め前方に下る溝として形成されているので、係止溝５４の端面５４Ｂは、上記モーメントに対してほぼ直交する。つまり、端面５４Ｂが上記モーメントを受ける受け面として機能する形状となっているので、上記のモーメントが作用しても係止爪３２が係止溝５４から離脱することがない。これにより、ロール紙ホルダー２を本体ケース１０に搭載した状態で、ロール紙カバー２１を開閉しても、ロール紙ホルダー２は安定した状態で支持される。
【００４３】
また、図８に示すように、ロール紙ホルダー２の支持軸２４は脚台３３、３３よりも前に位置しているので、ロール紙１１０の荷重が脚台３３、３３より前にある。このため、ロール紙１１０の荷重は、平面５５、５５と係止溝５４、５４とに分散して下方から支持されるので、ロール紙１１０の荷重によって係止溝５４に図中時計回りの回転モーメントが作用することがない。これにより、ロール紙１１０の荷重に起因して、係止溝５４、５４に、ロール紙カバー２１の開放時に作用するモーメントと同方向のモーメントが作用することがないため、ロール紙１１０を安定した状態で支持できるとともに、係止溝５４、５４への負荷の集中を防止して耐久性の向上を図ることができる。
【００４４】
以上のように構成されるプリンター１において、ロール紙ホルダー２は本体ケース１０に対して着脱可能であり、ロール紙ホルダー２を装着しないでプリンター１による印刷を行うことも可能である。
図１０は、ロール紙ホルダー２を取り外し、セパレーター７０を装着したプリンター１の斜視図である。また、図１１及び図１２は、セパレーター７０をスライドさせた状態のプリンター１の斜視図であり、図１１は前面側から見た斜視図であり、図１２は背面側から見た斜視図である。
図１０に示すように、セパレーター７０は、連続紙供給部６の上方を覆うように本体ケース１０に取り付けられる。図４に示したように、ロール紙ホルダー２を装着しない状態では、本体ケース１０に形成された開口から連続紙供給部６が露出し、セパレーター７０は、この本体ケース１０の開口を覆う蓋体となる。
【００４５】
ロール紙ホルダー２が装着されていない状態では、プリンター１は、連続紙１２０を記録媒体として印刷を実行する。ここで、ロール紙ホルダー２が装着されていないために、排紙ガイド２３が無いので、排紙口１４から排出される連続紙１２０は、セパレーター７０の上に沿ってプリンター１の後方へ向けて送られる。その一方で、プリンター１の外部からは、プリンター１後部の給紙口６７に連続紙１２０が供給され、この連続紙１２０はセパレーター７０の下を通るように連続紙供給部６により搬送される。このため、ロール紙ホルダー２を取り外した状態であっても、セパレーター７０によってプリンター１に供給される連続紙１２０と、プリンター１から排出される連続紙１２０とを分離することで、連続紙１２０のジャムを防止できる。
【００４６】
また、セパレーター７０の上面には指かけ部７１が設けられ、この指かけ部７１に指をかけてセパレーター７０を後方にスライドさせることが可能である。
図１０に示す状態ではセパレーター７０が最も前方に位置しており、図１１及び図１２に示す状態ではセパレーター７０が最も後方に位置している。
これら図１１及び図１２に示す状態では、セパレーター７０と排紙口１４との間が開いている。そして、この開口からは、図１２に示すように用紙入口４８が露出しており、上方からプリンター本体４へ記録媒体が進入可能である。また、この開口の両側端には係止溝入口５４Ａ、５４Ａが開口しており、ロール紙ホルダー２が備える係止爪３２、３２（図８）を、両サイドフレーム１８、１９に形成された係止溝５４、５４に挿入可能である。さらに、本体ケース１０の平面５５、５５に形成された凹部５５Ａ、５５Ａも露出している。従って、図１１及び図１２に示すように、セパレーター７０を後方にスライドさせることで、セパレーター７０を装着したまま、ロール紙ホルダー２を本体ケース１０の上に取り付けることができる。セパレーター７０とロール紙ホルダー２の両方を本体ケース１０に装着した場合、ロール紙ホルダー２に収容されたロール紙１１０から記録紙１１２を繰り出して供給することも、プリンター１の後方から連続紙１２０を供給することも可能であり、これら記録紙１１２、連続紙１２０への印刷が可能となる。
【００４７】
また、セパレーター７０は、図１０に示す位置、及び、図１１、１２に示す位置の両方で本体ケース１０から外れないように係止され、その中間の位置にセパレーター７０をスライドさせると、本体ケース１０から取り外し可能となる。このため、セパレーター７０を容易に着脱可能にするとともに、印刷を行える状態、すなわちロール紙ホルダー２が装着されていない状態、及び、ロール紙ホルダー２が装着された状態の両方で、セパレーター７０の脱落を防止できる。
【００４８】
以上のように、本発明を適用した実施形態に係るプリンター１によれば、プリンター本体４に、プリンター本体４において印刷がなされる記録紙１１２がロール状に巻かれたロール紙１１０を支持するロール紙ホルダー２が設けられ、ロール紙ホルダー２は、支持軸２４によってロール紙１１０を支持し、この支持軸２４の軸端にロール紙１１０を手動で巻き取るロール紙巻き取りノブ２５を備え、このロール紙巻き取りノブ２５が、プリンター本体４においてロール紙１１０を搬送する搬送機構を手動で逆転動作させる紙送りノブ４６、または、搬送機構を自動で逆転動作させるためのスイッチを有する表示・操作部１３が設けられた側と反対側に設けられている。このため、ロール紙１１０を手動で巻き取るロール紙巻き取りノブ２５が、紙送りノブ４６または表示・操作部１３とは反対側に設けられているので、オペレーターは、表示・操作部１３または紙送りノブ４６と、ロール紙巻き取りノブ２５とを、両手のそれぞれで操作できる。つまり、両手を使って同時に操作できる。これにより、搬送機構を逆転動作させると同時に、手動でロール紙１１０を回転させて記録紙１１２を巻き取ることができるので、記録紙１１２のジャムを起こすことなく未使用分の記録紙１１２を回収できる。
【００４９】
また、ロール紙ホルダー２は、プリンター本体４に着脱なので、ロール紙ホルダー２ごとロール紙１１０を着脱可能である。このため、記録紙１１２に記録を行う必要の有無に応じて適宜構成を変更でき、ユーザーの要求に合わせて多様な使用方法が可能になる。さらに、ロール紙ホルダー２は、支持軸２４に支持されているロール紙１１０を覆うカバーとしてのロール紙カバー２１及びホルダー本体２０を有し、ロール紙巻き取りノブ２５は上記カバーの外に露出しているので、カバーによりロール紙１１０の汚れを防ぐことができ、このカバーを開くことなく、ロール紙巻き取りノブ２５を操作してロール紙１１０を回転させ、記録紙１１２を容易に巻き取ることができる。
【００５０】
また、プリンター１では、マージナルパンチ孔を備えた連続シート形態の連続紙１２０を供給するトラクターユニット６０を備えた連続紙供給部６が、プリンター本体４の後方側に配置され、ロール紙ホルダー２が連続紙供給部６の上方に配置されるので、連続シート形態の連続紙１２０とロール紙１１０から繰り出される記録紙１１２との両方を使用可能で、記録紙１１２を使用し、この記録紙１１２を戻す場合には、搬送機構を逆転動作させると同時に手動でロール紙１１０を回転させて巻き取ることができる。これにより、未使用の記録紙１１２をロールに巻き取って回収することができ、さらに、トラクターユニット６０を備えた連続紙供給部６とロール紙ホルダー２とを効率よく配置することで、小さい設置面積で設置できる。
【００５１】
そして、ロール紙ホルダー２の前部に係止爪３２、３２が設けられ、この係止爪３２、３２が、プリンター本体４の後方に開口した係止溝５４、５４に係止され、ロール紙ホルダー２の後部脚台３３、３３が、プリンター本体４を収容する本体ケース１０の平面５５、５５に載置されるので、ロール紙ホルダー２は、プリンター本体４の後方に設けられた係止溝に係止爪３２が係止されることで水平方向に変位しないよう支持され、プリンター本体４を収容する本体ケース１０の平面に載置されることで、本体ケース１０によりロール紙ホルダー２の荷重が支持される。このため、ロールから引き出された記録紙１１２が連続紙１２０の供給経路に干渉しないように、かつ、記録紙１１２と連続紙１２０とがいずれもプリンター本体４に供給されるように、ロール紙１１０を安定した状態で支持できる。
さらに、支持軸２４が、脚台３３、３３よりも前方に配置されるので、ロール紙１１０の荷重が、本体ケース１０の平面５５、５５と、ロール紙ホルダー２の係止爪３２、３２が係止される係止溝５４、５４とに分散して下方から支持される。このため、ロール紙１１０の荷重によるモーメントを発生させず、安定してロール状の記録媒体を支持できる。
【００５２】
なお、上記実施形態は本発明を適用した一具体例を示すものであり、本発明はこれに限定されるものではない。例えば、上記実施形態においては、ワイヤーを突出させて記録媒体にドットを形成するドットマトリクスプリンターを例に挙げて説明したが、本発明はこれに限定されるものではなく、例えば、サーマルラインヘッドにより記録媒体に熱を与えて文字や画像を記録するサーマルプリンター、或いは、インクを記録媒体に噴射して記録を行うインクジェットプリンターやレーザープリンターにも本発明を適用可能である。また、記録紙１１２及び連続紙１２０はプリンターの記録方式に適していれば特に限定されず、ドットマトリクスプリンターにおいては普通紙や複写紙とすることができ、サーマルプリンターにおいては一色または多色の感熱紙を用いることができ、インクジェットプリンターにおいては普通紙の他に表面にコーティングが付された用紙を用いることができ、紙に代えて合成樹脂製のシートを用いることも可能である。
また、上記実施形態においては、ロール紙ホルダー２の前端部に設けた係止爪３２が係止溝入口５４Ａから係止溝５４へ下方に入り込んで係止される構成を例に挙げて説明したが、本発明はこれに限定されるものではなく、例えば、水平方向に前方に延びる係止溝に、係止爪を、プリンター本体４の後方から差し入れて係止させる構成としてもよく、また、係止溝５４が途中で折れ曲がった構成としてもよく、このいずれの場合も上記と同様の効果が得られる。さらに、上記実施形態では、係止爪３２が円柱形状であり、係止爪３４が尖状に形成されたものとしたが、本発明はこれに限定されるものではなく、係止爪３２、３４の先端に鉤状部を設けてもよいし、係止爪３２の先端に径の大きい部分を設けて、係止溝５４からより脱落しにくい構成としてもよい。さらには、プリンター本体４側に突出する突出部を設けて、この突出部と係合する溝をロール紙ホルダー２側に設けてもよい。
【００５３】
また、上記実施形態においては、ロール紙ホルダー２においてロール紙１１０を巻き取るロール紙巻き取りノブ２５がプリンター１の左側に配置され、表示・操作部１３及び紙送りノブ４６がプリンター１の右側に配置された構成としたが、本発明はこれに限定されるものではなく、表示・操作部１３と紙送りノブ４６とが同じ側にあり、これとは逆側にロール紙巻き取りノブ２５が配置していれば良い。また、ロール紙ホルダー２の内部において支持軸２４を支持する軸受け部２８Ａ、２９Ａの構成は任意であり、例えば支持軸２４の回転抵抗を増すための抵抗部材を別に設けてもよい。さらには、搬送機構の逆転動作を指示するためのスイッチを、表示・操作部１３とは別に独立して、例えば本体ケース１０の側面に設けてもよい。
さらにまた、プリンター本体４の各部、本体ケース１０、ロール紙ホルダー２のホルダー本体２０やロール紙カバー２１を構成する材料は任意であり、一部に透光性の材料を用いて、例えばロール紙ホルダー２に収容されたロール紙１１０の残量を目視で確認できるようにしてもよいし、その他、ロール紙カバー２１とホルダー本体２０との接合部を密閉構造としてもよく、プリンター１の細部構成については本発明の趣旨を逸脱しない範囲で任意に変更可能である。
【符号の説明】
【００５４】
１…プリンター（記録装置）、２…ロール紙ホルダー（ロール状媒体支持ユニット）、４…プリンター本体（記録装置本体）、６…連続紙供給部（連続シート媒体供給部）、１０…本体ケース、１３…表示・操作部（スイッチ部）、２０…ホルダー本体（カバー）、２１…ロール紙カバー（カバー）、２４…支持軸、２５…ロール紙巻き取りノブ（第１ノブ）、３２…係止爪、３３…脚台（後部脚台）、３４…係止爪、４６…紙送りノブ（第２ノブ）、４５…紙案内上（シート案内）、４７…紙案内下（シート案内）、４８…用紙入口、５４…係止溝、５５…平面、５５Ａ…凹部、６０…トラクターユニット、７０…セパレーター、１１０…ロール紙（ロール状記録媒体）、１１２…記録紙（記録媒体）、１２０…連続紙（別型記録媒体）。
【図１】
2011110813.tif 000003
【図２】
2011110813.tif 000004
【図３】
2011110813.tif 000005
【図４】
2011110813.tif 000006
【図５】
2011110813.tif 000007
【図６】
2011110813.tif 000008
【図７】
2011110813.tif 000009
【図８】
2011110813.tif 000010
【図９】
2011110813.tif 000011
【図１０】
2011110813.tif 000012
【図１１】
2011110813.tif 000013
【図１２】
2011110813.tif 000014